(57)【要約】【課題】  比較的簡単な構造で上下に分割可能であり、しかも分割操作を誤るおそれを少なくした燃料取扱工具を提供する。【解決手段】  燃料取扱工具３を上部材３１と下部材３２とに分割可能に構成し、操作棒３１１の下端のピン３４５を操作棒３２１の上端の係止部３５１の溝３５２に係合させて上部材３１と下部材３２とを結合し、ピン３４５を溝３５２から引き離すことにより、下部材３２で照射燃料集合体２を把持している状態でも、上部材３１を分割して取り外すことができ、照射燃料集合体２を搬送するためのクレーンの動きを阻害することがない。【選択図】      図１
2005114447.tif 000002
【特許請求の範囲】
【請求項１】
照射燃料集合体（２）を保持するための燃料取扱工具であって、
上操作棒（３１１）と、前記照射燃料集合体（２）を保持するための操作を行う下操作棒（３２１）とを含み、前記上操作棒（３１１）と前記下操作棒（３２１）とが分割可能な操作棒（３１１，３２１）と、
前記下操作棒（３２１）の下端に設けられ、前記上操作棒（３１１）と前記下操作棒（３２１）とを結合した状態で前記上操作棒（３１１）を上下させることにより、前記照射燃料集合体（２）を把持，開放する保持手段（３６）と、
前記上操作棒（３１１）と前記下操作棒（３２１）との接続部分に設けられ、前記上操作棒（３１１）を軸周りに回動することにより、前記上操作棒（３１１）と前記下操作棒（３２１）とを分割，結合する接続手段（３４，３５）とを備え、
前記接続手段（３４，３５）は、
前記上操作棒（３１１）の下端に設けられ、軸方向に交差する方向に突出する突起（３４５）を有する嵌合部材（３４４）と、
前記下操作棒（３２１）の上端に設けられ、前記嵌合部材（３４４）が挿入されかつ回動されることにより前記突起（３４５）を係止するための係止溝（３５２）を有する係止部材（３５１）とを含むことを特徴とする燃料取扱工具。
【請求項２】
さらに、前記上操作棒（３１１）に対して同軸的に設けられる上接続管（３１２）と、
前記下操作棒（３２１）に対して同軸的に設けられ、前記照射燃料集合体（２）を保持する下接続管（３２２）と、
前記上接続管（３１２）の下端に設けられた係合部材（３４３，３４７）と、
前記下接続管（３２２）の上端に設けられ、前記係合部材（３４３，３４７）を係止する係止部材（３５４，３５６）とを含むことを特徴とする、請求項１に記載の燃料取扱工具。
【請求項３】
さらに、前記上操作棒（３１１）に軸方向に延びるように形成された長円穴（３１９）と、
前記長円穴（３１９）に挿入することで前記上操作棒（３１１）の上下への動きを許容するとともに、前記上操作棒（３１１）の回動を禁止するプランジャ部材（３１６）を備えたことを特徴とする、請求項１または請求項２に記載の燃料取扱工具。
【請求項４】
さらに、前記上操作棒（３１１）に形成された穴（３１７，３１８）と、
前記穴（３１７，３１８）に挿入することで前記上操作棒（３１１）の上下動および回動を禁止し、引抜くことで前記上操作棒（３１１）の上下動および回動を許容するピン部材（３１５）を含むことを特徴とする、請求項１ないし請求項３のいずれかに記載の燃料取扱工具。
【請求項５】
さらに、前記上操作棒（３１１）と前記下操作棒（３２１）とが結合されている状態で前記上接続管（３１２）と前記下接続管（３２２）との分割を禁止し、前記上操作棒（３１１）と前記下操作棒（３２１）とが分割されている状態で引上げることにより、前記上接続管（３１２）と前記下接続管（３２２）との分割の禁止を解除する解除部材（３７１，３７６）を備えたことを特徴とする、請求項２ないし請求項４のいずれかに記載の燃料取扱工具。
【請求項６】
前記解除部材（３７１，３７６）は、
前記上操作棒（３１１）と平行に設けられる解除棒（３７１）と、
前記解除棒（３７１）の下部に設けられる突起（３７６）とを含み、
前記上操作棒（３１１）の下部には、前記上操作棒（３１１）と前記下操作棒（３２１）とを結合したときに、前記突起（３７６）を係止し、前記上操作棒（３１１）と前記下操作棒（３２１）とを分割したときに、前記突起（３７６）の係止を解除するための保持具（３４１）が設けられていることを特徴とする、請求項５に記載の燃料取扱工具。
【請求項７】
さらに、前記解除棒（３７１）の上端に設けられるレバー（３７２）と、
前記レバー（３７２）により前記解除棒（３７１）を引上げたときに前記解除棒（３７１）が引き下がるのを阻止する係止ピン（３７５）とを含むことを特徴とする、請求項６に記載の燃料取扱工具。
【請求項８】
前記保持手段は、
前記照射燃料集合体（２）を把持するための爪部材（３６１）と、
前記上操作棒（３１１）を引上げることで前記爪部材（３６１）の先端を狭め、押し下げることで前記爪部材（３６１）の先端を広げて前記照射燃料集合体（２）を把持させるアクチュエータ（３６６）とを含むことを特徴とする、請求項１ないし請求項７のいずれかに記載の燃料取扱工具。
【発明の詳細な説明】
【技術分野】
【０００１】
この発明は燃料取扱工具に関し、特に、核燃料の照射試験後、照射燃料集合体を把持して移動(運搬）や検査のために使用する分割型の燃料取扱工具に関する。
【背景技術】
【０００２】
加圧水型原子力発電所では定期検査時に水中テレビカメラ装置を用いて燃料集合体の外観検査を行っている。図１１は燃料集合体ピットの断面図であり、図１２は同じく斜視図である。
【０００３】
燃料集合体ピット１は、深さが約１０ｍの水が張られたプールから構成されており、図１１の左下底部には照射燃料集合体２を保管するための燃料集合体保管ラック１１が設けられており、右側上部には検査台１２が設けられている。燃料集合体保管ラック１１は、使用済みの照射燃料集合体２の外観検査待ちのために保管されるばかりでなく、再処理工場に納入するときの一時保管や新品の照射燃料集合体２を保管する場合にも使用される。検査台１２の下部には照射燃料集合体２の外観検査を行うための水中テレビカメラ装置５が設けられている。
【０００４】
燃料集合体ピット１の両側に沿って、図１２（ａ），（ｂ）に示すように、レール１４，１４が配設されており、ピットクレーン４がこのレール１４，１４に沿って、燃料集合体保管ラック１１上と検査台１２との間を移動可能に構成されている。検査時には、燃料集合体保管ラック１１に収納されている照射燃料集合体２が燃料取扱工具３の下端によって把持され、燃料取扱工具３の上端がピットクレーン４により引上げられて、図１２（ａ）に示すように燃料集合体保管ラック１１上から図１２（ｂ）に示すように水中を検査台１２まで移動する。
【０００５】
図１３は照射燃料集合体の外観側面図である。図１３において、照射燃料集合体２は多数の原子燃料棒２１に制御棒案内管２２を混入してこれらを軸方向に一定の間隔で支持格子２３により集束するとともに、制御案内管２２の上部を上部ノズル２４に固定し、制御案内管２２の下部を下部ノズル２５に固定して構成されている。
【０００６】
ピットクレーン４は図１１において左右のいずれかで燃料取扱工具３を介して照射燃料集合体２を移送可能になっているが、燃料集合体保管ラック１１の左端に近いところに保管された照射燃料集合体２を取り出す場合、図１２（ａ）に示すように、ピットクレーン４の左側に燃料取扱工具３が取り付けられる。そして、燃料ピットクレーン４を検査台１２側に移動させたとき、検査が終了するまで燃料ピットクレーン４を検査台１２側に停止させておかざるを得ない。燃料取扱工具３の上部分が燃料ピットクレーン４に干渉してしまい、燃料ピットクレーン４を燃料集合体保管ラック１１側に移動できないからである。
【０００７】
ところが、図１２には検査台１２が１箇所しか示されていないが、実際には検査の効率を高めて作業時間を短縮するために検査台を２箇所以上設けることがある。その場合、一方の検査台で１つの照射燃料集合体を検査しているときに、他の照射燃料集合体を燃料集合体保管ラック１１から取り出して他方の検査台に移送することがある。しかし、上述のごとくピットクレーン４を他の用途に使用したくとも、燃料取扱工具３の上部分が障害になってしまい、ピットクレーン４を燃料集合体保管ラック１１側に移動できない。このために照射燃料集合体２の検査効率が悪いという問題がある。
【０００８】
この問題を解決するために、特許第３１０５７３９号には、燃料集合体の取り出しや移送時には、上部取扱機構と下部取扱機構とを一体化して使用し、上部の操作ハンドルを操作して下部の掴み機構により燃料集合体を掴み，放し、燃料集合体の検査時のように長期間保持しつづける場合には、上部取扱機構を下部取扱機構から分割し、燃料集合体を保管するようにした原子炉燃料集合体の取扱工具について記載されている。
【０００９】
【特許文献１】特許第３１０５７３９号
【発明の開示】
【発明が解決しようとする課題】
【００１０】
上述の特許第３１０５７３９号に記載された取扱工具は、上部取扱機構と下部取扱機構とを分割することは可能である反面、分割可能にするための機構が複雑である。
【００１１】
また、この取扱工具は、上部取扱機構と下部取扱機構との分割，結合をするための操作と、燃料集合体を掴み，放すための操作の２つの操作があり、２つの操作を混同してしまって、燃料集合体をピットクレーンで吊り下げている状態で誤って上部取扱機構と下部取扱機構との分割操作をしてしまうと、燃料集合体が落下してしまい重大な事故につながるおそれがある。
【００１２】
それゆえに、この発明の主たる目的は、比較的簡単な構造で上下に分割可能であり、さらに分割操作を誤るおそれを少なくした燃料取扱工具を提供することである。
【課題を解決するための手段】
【００１３】
この発明は、照射燃料集合体を保持するための燃料取扱工具であって、上操作棒と、照射燃料集合体を保持するための操作を行う下操作棒とを含み、上操作棒と下操作棒とが分割可能な操作棒と、下操作棒の下端に設けられ、上操作棒と下操作棒とを結合した状態で上操作棒を上下させることにより、照射燃料集合体を把持，開放する保持手段と、上操作棒と下操作棒との接続部分に設けられ、上操作棒を軸周りに回動することにより、上操作棒と下操作棒とを分割，結合する接続手段とを備え、接続手段は上操作棒の下端に設けられ、軸方向に交差する方向に突出する突起を有する嵌合部材と、下操作棒の上端に設けられ、嵌合部材が挿入されかつ回動されることにより突起を係止するための係止溝を有する係止部材とを含むことを特徴とする。
【発明の効果】
【００１４】
したがって、この発明に従えば、操作棒を上操作棒と下操作棒とに分割可能に構成したことにより、下操作棒で照射燃料集合体を把持している状態でも、上操作棒を分割して取り外すことができ、比較的簡単な構造により照射燃料集合体を搬送するためのクレーンの動きを阻害することがない燃料取扱工具を提供できる。
【発明を実施するための最良の形態】
【００１５】
この発明において、好ましくは、上操作棒に対して同軸的に設けられる上接続管と、下操作棒に対して同軸的に設けられ、照射燃料集合体を保持する下接続管と、上接続管の下端に設けられた係合部材と、下接続管の上端に設けられ、係合部材を係止する係止部材とを含むことを特徴とする。操作棒と接続管との二重構造にすることにより強度を高めることができる。
【００１６】
好ましくは、上操作棒に軸方向に延びるように形成された長円穴と、長円穴に挿入することで上操作棒の上下への動きを許容するとともに、上操作棒の回動を禁止するプランジャ部材を備えたことを特徴とする。長円穴にプランジャ部材を挿入しているときには、上操作棒を軸方向にのみ上下できて回動が禁止されるので、照射燃料集合体の保持，開放操作が許容される。また、長円穴からプランジャが引抜かれているときには上操作棒の回動が可能になるので、上操作棒と下操作棒との分割，結合が許容される。
【００１７】
好ましくは、上操作棒に形成された穴と、穴に挿入することで上操作棒の上下動および回動を禁止し、引抜くことで上操作棒の上下動および回動を許容するピン部材とを含むことを特徴とする。ピン部材を穴に挿入することにより、上操作棒の上下動および回動が禁止されるので、不用意に上操作棒と下操作棒との分割，結合操作や照射燃料集合体の把持，開放操作が行われるおそれを解消できる。
【００１８】
好ましくは、上操作棒と下操作棒とが結合されている状態で上接続管と下接続管との分割を禁止し、上操作棒と下操作棒とが分割されている状態で引上げることにより、上接続管と下接続管との分割の禁止を解除する解除部材を備えることを特徴とする。上操作棒と下操作棒とを分割してからでなければ上接続管と下接続管とを分割することができないので、誤った操作を少なくすることができ、安全を期することができる。
【００１９】
好ましくは、解除部材は上操作棒と平行に設けられる解除棒と、解除棒の下部に設けられる突起とを含み、上操作棒の下部には、上操作棒と下操作棒とを結合したときに、突起を係止し、上操作棒と下操作棒とを分割したときに、突起の係止を解除するための保持具が設けられていることを特徴とする。これにより、上操作棒と下操作棒とを分割していない限り、解除棒を操作しても上接続管と下接続管とを分割することができないので、誤操作を防止できる。
【００２０】
好ましくは、解除棒の上端に設けられるレバーと、レバーにより解除棒を引上げたときに解除棒が引き下がるのを阻止する係止ピンとを含むことを特徴とする。これにより、簡易な構造により操作の効率化が図れる。
【００２１】
好ましくは、保持手段は照射燃料集合体を把持するための爪部材と、上操作棒を引上げることで爪部材の先端を狭め、押し下げることで爪部材の先端を広げて照射燃料集合体を把持させるアクチュエータとを含むことを特徴とする。アクチュエータにより爪部材の先端を狭めたり広げたりするという簡単な構成により、照射燃料集合体の把持が可能になる。
【実施例１】
【００２２】
図１は燃料取扱工具の外観斜視図である。まず、図１を参照して、燃料取扱工具３における全体の概略の構成について説明する。燃料取扱工具３は、工具部材としての上部材３１と、下部材３２とに分割可能に構成されていて、接続手段としての上側接続フランジ３４と、下側接続フランジ３５とによって分割・結合が可能にされている。このように燃料取扱工具３を上下に分割可能に構成することで、図１２で説明した照射燃料集合体２の検査中は、燃料取扱工具３の上部材３１を取り外すことにより、ピットクレーン４が移動するのに障害にならないようにすることができる。
【００２３】
上部材３１は、上操作棒としての操作棒３１１と、その周りを囲むように同軸的に設けられている上接続管としての接続管３１２と、接続管３１２の下端に設けられる上側接続フランジ３４と、接続管３１２の上端に設けられる吊具３１３，ハンドル３１４，ボールロックＴ型ピン３１５およびインデックスプランジャ３１６とを含む。さらに、接続管３１２と平行に解除棒３７１が設けられている。この解除棒３７１は操作棒３１１と３２１とが分割されている状態で上部材３１の接続管３１２と、下部材３２の接続管３２２との分割の禁止を解除するために設けられており、解除棒３７１の上端にはレバー３７２が設けられている。解除棒３７１の上部は接続管３１２のインデックスプランジャ３１６よりも下側に取付けられている保持部材３７３によって保持されており、解除棒３７１の下部は図５に示す保持具３４１によって保持されている。
【００２４】
下部材３２は、下操作棒としての操作棒３２１と、その周りを囲むように同軸的に設けられている下接続管としての接続管３２２と、接続管３２２の上端側に取付けられている下側接続フランジ３５と、接続管３２２の下端側に取付けられて照射燃料集合体２を把持する保持部（治具ヘッド）３６とを含む。
【００２５】
図２は燃料取扱工具の上部の要部斜視図であり、図３は図２に示すハンドルの要部を示す図であり、図４は解除棒の保持部材を示す斜視図である。
【００２６】
燃料取扱工具３の上部材３１の吊具３１３は、図１２に示したピットクレーン４によって吊上げるために逆Ｕ字状に形成されている。ハンドル３１４は吊具３１３に囲まれるように水平方向に回動可能に設けられていて、照射燃料集合体２を把持，開放するときと、燃料取扱工具３を上下に分割，結合するときに操作される。ピン部材としてのボールロックＴ型ピン３１５は、ハンドル３１４を引き上げた後ハンドル３１４が下がらないようにロックするために設けられており、プランジャ部材としてのインデックスプランジャ３１６はハンドル３１４の回動を阻止するために設けられている。
【００２７】
ハンドル３１４は、図３に示すように操作棒３１１の上端に結合されており、操作棒３１１にはボールロックＴ型ピン３１５を差し込むための穴３１７，３１８が上下に、たとえば５０ｍｍの間隔を隔てて形成されているとともに、その下部にはインデックスプランジャ３１６の先端が挿入される長円穴３１９が形成されている。
【００２８】
解除棒３７１には図４に示すようにレバー３７２の下部に係止ピン３７５が固着されており、保持部材３７３には解除棒３７１が挿入される貫通孔が形成されているとともに係止ピン３７５が嵌り込むスリット３７４が形成されている。レバー３７２を９０度回動して係止ピン３７５をスリット３７４に嵌め込むと解除棒３７１を下方に押し下げることが可能になる。
【００２９】
図５〜図７は燃料取扱工具の分割部分の上側接続フランジおよび下側接続フランジを示す外観斜視図であり、特に図５は操作棒および接続管の接続部分を示し、図６は上側接続フランジの底面を示し、図７は操作棒の接続部分のみを抽出して示す外観斜視図である。また、図８は図５の上側接続フランジと下側接続フランジとを結合したときの線ＶＩＩＩ−ＶＩＩＩに沿う断面図であり、図９は燃料取扱工具の保持部の要部断面図であり、図１０は燃料集合体の上部ノズルを示す外観斜視図である。
【００３０】
上側接続フランジ３４と、下側接続フランジ３５は操作棒３１１と３２１および接続管３１２と３２２とを分割，結合する。このために、上部材３１の上側接続フランジ３４は、図７に示すように操作棒３１１の下端に設けられた嵌合部３４４を含み、嵌合部３４４の先端はテーパ状に形成されている。下部材３２の操作棒３２１の先端部には係止部３５１が設けられており、係止部３５１には凹部３５８とＬ字状の係止溝３５２が形成されている。
【００３１】
また、嵌合部３４４には軸方向に対して直交するように突出する突起としてのピン３４５が設けられている。嵌合部３４４は係止部３５１の凹部３５８に挿入され、反時計方向に回動されると、ピン３４５が係止部３５１に形成されているＬ字状の係止溝３５２によって係止され、これにより操作棒３１１と３２１とが結合される。
【００３２】
上側接続フランジ３４には、接続管３１２の下方内部に解除棒３７１を保持するための保持具３４１が設けられており、保持具３４１で保持されている解除棒３７１の下端は筒状のスリーブ３４２を貫通して下側に突出している。解除棒３７１には図８に示すように、突起３７６が設けられており、操作棒３１１と３２１とが接続されている状態では、突起３７６が保持具３４１の下部に当接してロック状態にされて解除棒３７１を上方に引上げるのが禁止される。この解除棒３７１と突起３７６とによって解除部材が構成されている。操作棒３１１と３２１とが分割されて操作棒３１１が引上げられると、保持具３４１が点線の位置まで上方に引上げられるので解除棒３７１を上方に引上げるのが許容される。また、解除棒３７１の下部にはスプリングコイル３７７が挿入されている。このスプリングコイル３７７として、強い弾性力を有するものを用いることにより、突起３７６を省略するようにしてもよい。すなわち、スプリングコイル３７７の強い弾性力により、操作棒３１１が引上げられていないときには、解除棒３７１が引上げられず、操作棒３１１が引上げられたときにのみ、解除棒３７１が引上げられるようにすることができる。
【００３３】
スリーブ３４２は嵌合部３４４を囲むように設けられており、その外周面に軸方向に延びる突条３４３が形成されている。スリーブ３４２の底面には図６に示すように解除棒３７１を挿通するための貫通孔３４６と、内方に向く４つの爪３４７が形成されている。
【００３４】
下側接続フランジ３５には、操作棒３２１の上端に固定された係止部３５１が設けられているとともに、接続管３２２に固定されたガイドスリーブ３５３と、十字形状の係止板３５４と、コーンブッシュ３５５とが設けられている。係止板３５４には解除棒３７１の先端部を係止するための切欠き溝３５７が形成されている。ガイドスリーブ３５３は筒状であって、上側接続フランジ３４のスリーブ３４２に形成されている突条３４３を嵌合するために一部に切欠き３５６が形成されている。コーンブッシュ３５５は図５に示すように逆円錐形状に形成されており、図１２に示した検査台１２には図示しないが、逆円錐形状のコーンブッシュ３５５を受け入れるように円錐状の凹部が形成されている。
【００３５】
接続管３１２と３２２とを接続するときは、解除棒３７１の先端を係止板３５４の切欠き溝３５７に挿入しかつスリーブ３４２の突条３４３をガイドスリーブ３５３の切欠き３５６に嵌合させるとともに、スリーブ３４２の４つの爪３４７を係止板３５４の凹部３５８に係合させる。突条３４３と爪３４７は係合部材を構成し、係止板３５４と切欠き３５６は係止部材を構成している。
【００３６】
前述の図１３で説明した照射燃料集合体２の上部ノズル２４は図１０に示すように、４つの側板２４０を有する四角形状に形成されており、側板２４０の３つの角に１つの位置決め穴２４１と、２つのガイド穴２４２とが形成されている。保持部３６は、この上部ノズル２４の側板２４０から内側に延びる平板部２４４を把持するものであり、図１に示すように上部ノズル２４の平板部２４４を把持するための４つの爪３６１と、２本のガイドピン３６２と、１本の位置決めピン３６３および着座用のストッププラグ３６７とを含む。ガイドピン３６２は上部ノズル２４のガイド穴２４２に挿入され、位置決めピン３６３は位置決め穴２４１に挿入される。
【００３７】
４つの爪３６１は、図９に示すように固定ピン３６４によって回動可能に設けられており、円筒状のアクチュエータ３６５が上下することにより、爪３６１の先端が狭められたり、広げられたりする。すなわち、アクチュエータ３６５の上部には操作棒３２１の下端が固着されており、アクチュエータ３６５の下端の外側周縁には外側に向く突条３６６が形成されている。
【００３８】
アクチュエータ３６５が上側に位置しているときは爪３６１の下端は内側に狭められており、操作棒３２１が下側に押し下げられると、突条３６６が爪３６１の内側に当接しながらアクチュエータ３６５が下降することにより、爪３６１の下端が外側に開くので上部ノズル２４の平板部２４４を把持することができる。そして、吊具３１３を引上げることにより爪３６１の先端が平板部２４４を把持しながら照射燃料集合体２を引き上げることができる。
【００３９】
次に、燃料取扱工具３の上部材３１と下部材３２とが結合されていて、分割する動作について説明する。図２に示すインデックスプランジャ３１６を操作棒３１１の長円穴３１９から引抜くとともに、ボールロックＴ型ピン３１５を穴３１７から引抜く。これにより、ロックを解除してハンドル３１４を回転できない状態から回転を許容する状態になる。
【００４０】
ハンドル３１４を燃料取扱工具３の上方から見て時計方向に４５度回動すると操作棒３１１も回動し、下側接続フランジ３５の係止溝３５２から上側接続フランジ３４のピン３４５をはずして、嵌合部３４４を係止部３５１の凹部３５８から引き離す。これにより、操作棒３１１と３２１とが分離される。操作棒３１１と３２１とを分離し、操作棒３１１を引上げた後、ハンドル３１４を反時計方向に４５度回動させて穴３１８にボールロックＴ型ピン３１５を差し込んで固定するとともに、インデックスプランジャ３１６を長円穴３１９に差し込む。これにより、図８の点線に示すように保持具３４１も引上げられて、解除棒３７１の突起３７６が保持具３４１によってロックされている状態が解除される。
【００４１】
次に、解除棒３７１のロックが解除されたことにより、図４に示すレバー３７２を時計方向または反時計方向に９０度回動させて引上げることにより、スリット３７４に嵌まり込んでいるピン３７５を保持部材３７３上に露出させ、解除棒３７１の下端を係止板３５４の切欠き溝３５７から引き離す。そして、レバー３７２を再度時計方向または反時計方向に９０度回動させてピン３７５を保持部材３７３によって係止させて解除棒３７１が下方に下がらないようにする。
【００４２】
続いて、吊具３１３を反時計方向に４５度回動させて突条３４３を切欠き３５６から離すとともにスリーブ３４２の爪３４７と係止板３５４の凹部との係合を解除する。これにより、接続管３１２，３２２の結合が切り離されるので、燃料取扱工具３は上部材３１と下部材３２とに分割される。
【００４３】
上部材３１と下部材３２とを結合するときは、上側接続フランジ３４と下側接続フランジ３５とをセンタリングして、ピットクレーン４により上側フランジ３４を微速で下降させて、下側接続フランジ３５に噛合わせる。吊具３１３を時計方向に４５度回動して、上側接続フランジ３４のスリーブ３４２に形成されている突条３４３を下側接続フランジ３５のガイドスリーブ３５３の切欠き３５６に嵌合して、接続管３１２と３２２とを結合する。レバー３７２を時計方向または反時計方向に９０度回動させて押し込み、解除棒３７１の先端部を係止板３５４の切欠き溝３５７に挿入する。
【００４４】
次に、インデックスプランジャ３１６を長円穴３１９から引抜くとともに、ボールロックＴ型ピン３１５を穴３１８から引抜いて、ハンドル３１４を回転できる状態にする。そして、ハンドル３１４を時計方向に４５度回動させ、嵌合部３４４を係止部３５１の凹部３５８に挿入した後、ハンドル３１４を反時計方向に４５度回動させ、上側接続フランジ３４のピン３４５を係止溝３５２に係止させて操作棒３１１と３２１とを結合させる。これにより、上部材３１と下部材３２とが上側接続フランジ３４と下側接続フランジ３５とによって接続される。
【００４５】
このとき、操作棒３１１と３１２とが結合されたことにより、解除棒３７１の突起３７６が保持具３４１によってロックされる。その後、インデックスプランジャ３１６とボールロックＴ型ピン３１５とをそれぞれ長円穴３１９と穴３１７とに差し込む。
【００４６】
次に、燃料取扱工具３を用いて照射燃料集合体２を把持して吊上げる動作について説明する。吊具３１３を図１１に示したピットクレーン４により吊り下げ、燃料取扱工具３の向きを照射燃料集合体２の上部ノズル２４に合わせる。燃料取扱工具３を下降させて保持部３６が上部ノズル２４の側板２４０に囲まれた空間に到達すると、ボールロックＴ型ピン３１５のみを穴３１７から引抜き、インデックスプランジャ３１６は長円穴３１９から引抜かない。
【００４７】
ハンドル３１４を引上げると図８に示す保持部３６のアクチュエータ３６５も引上げられて、アクチュエータ３６５の下部に形成されている突条３６６が爪３６１の内面上部に位置するので爪３６１が狭められる。この状態でピットクレーン４により燃料取扱工具３を引き下ろし、爪３６１を上部ノズル２４の側板２４０で囲まれた開口部分に挿入しながら保持部３６のガイドピン３６２および位置決めピン３６３を上部ノズル２４のガイド穴２４２および位置決め穴２４１に挿入する。
【００４８】
ボールロックＴ型ピン３１５を下側の穴３１８から引抜き、ハンドル３１４を下方向へ押し下げると、保持部３６のアクチュエータ３６５の突条３６６が爪３６１の内面を摺動して爪３６１の下端を外側に広げて上部ノズル２４の平板部２４４を把持する。ボールロックＴ型ピン３１５を上側の穴３１７に挿入し、ピットクレーン４によって燃料取扱工具３引上げると、照射燃料集合体２を吊上げることができる。
【００４９】
上述のごとく、この実施形態によれば、燃料取扱工具３を上部材３１と下部材３２とに分割可能に構成したことにより、下部材３２で照射燃料集合体２を把持している状態でも、上部材３１を分割して取り外すことができ、照射燃料集合体２を搬送するためのクレーンの動きを阻害することがない。しかも、操作棒３１１と３２１とが結合されている状態で接続管３１２と３２２との分割を禁止し、操作棒３１１と３２１とが分割されている状態で接続管３１２と３２２との分割の禁止を解除する解除棒３７１を備えることにより、操作棒３１１と３２１とを分割してからでなければ接続管３１２と３２２とを分割することができないので、誤った操作を少なくすることができ、安全を期することができる。
【００５０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００５１】
【図１】燃料取扱工具を分割した状態を示す外観斜視図である。
【図２】燃料取扱工具の上部材の要部斜視図である。
【図３】図２に示すハンドルの要部を示す図である。
【図４】図２に示す解除棒の取付け部材を示す斜視図である。
【図５】燃料取扱工具の分割部分の上側および下側接続フランジを示し、特に操作棒および接続管の接続部分を示す図である。
【図６】上側接続フランジの底面を示す斜視図である。
【図７】燃料取扱工具の分割部分の上側および下側接続フランジを示し、特に、操作棒の接続部分のみを抽出して示す外観斜視図である。
【図８】図５の上側接続フランジと下側接続フランジとを結合したときの線ＶＩＩＩ−ＶＩＩＩに沿う断面図である。
【図９】燃料取扱工具の保持部の要部断面図である。
【図１０】照射燃料集合体の上部ノズルを示す外観斜視図である。
【図１１】燃料集合体ピットの断面図である。
【図１２】燃料集合体ピットの斜視図である。
【図１３】照射燃料集合体の側面図である。
【符号の説明】
【００５２】
１  燃料集合体ピット
２  照射燃料集合体
３  燃料取扱工具
４  ピットクレーン
５  水中テレビカメラ装置
１１  燃料集合体保管ラック
１２  検査台
１４  レール
２１  原子燃料棒
２２  制御棒案内管
２３  支持格子
２４  上部ノズル
２５  下部ノズル
３１  上部材
３２  下部材
３４  上側接続フランジ
３５  下側接続フランジ
３６  保持部（治具ヘッド）
２４０  側板
２４１  位置決め穴
２４２  ガイド穴
２４４  平板部
３１１，３２１  操作棒
３１２，３２２  接続管
３１３  吊具
３１４  ハンドル
３１５  ボールロックＴ型ピン
３１６  インデックスプランジャ
３１７，３１８  穴
３１９  長円穴
３４１  保持具
３４２  スリーブ
３４３，３６６  突条
３４４  嵌合部（接続ピン）
３４５  ピン（平行ピン）
３４６  貫通孔
３４７，３６１  爪
３５１  係止部（ロックスリーブ）
３５２  係止溝
３５３  ガイドスリーブ
３５４  係止板
３５５  コーンブッシュ
３５６  切欠き
３５７  切欠き溝
３５８  凹部
３６２  ガイドピン
３６３  位置決めピン
３６４  固定ピン
３６７  ストッププラグ
３６５  アクチュエータ
３７１  解除棒
３７２  レバー
３７３  保持部材
３７４  スリット
３７５  係止ピン
３７６  突起
３７７  スプリングコイル
【図１】
2005114447.tif 000003
【図２】
2005114447.tif 000004
【図３】
2005114447.tif 000005
【図４】
2005114447.tif 000006
【図５】
2005114447.tif 000007
【図６】
2005114447.tif 000008
【図７】
2005114447.tif 000009
【図８】
2005114447.tif 000010
【図９】
2005114447.tif 000011
【図１０】
2005114447.tif 000012
【図１１】
2005114447.tif 000013
【図１２】
2005114447.tif 000014
【図１３】
2005114447.tif 000015